(57)【要約】      （修正有）【課題】収容する物品のサイズや形状に柔軟に対応することができ、作成や設置が容易で、物品への振動や衝撃を緩和し、物品の移動を規制して破損を防止する保持材を提供する。【解決手段】可撓性のある板状部材で、保持部２１と、保持部２１の前後端に支持部２２・２３を形成し、２つの保持部２１を対向させ、保持部２１間で物品を押圧して保持し、支持部２２・２３を物品とは反対側へ延在させてなる保持材１であって、物品を保持した状態において、保持部２１が、支持部２２・２３が延在する側へ凸形状になるとともに、保持部２１の前後端側が物品に近づいて、物品の前後方向及び左右方向への移動を規制する。【選択図】図５
0003229897.tif 000002
【実用新案登録請求の範囲】
【請求項１】
可撓性のある板状部材で、保持部と、当該保持部の前後端に支持部を形成し、２つの前記保持部を対向させ、前記保持部間で物品を押圧して保持し、前記支持部を前記物品とは反対側へ延在させてなる保持材であって、前記物品を保持した状態において、前記保持部が、前記支持部が延在する側へ凸形状になるとともに、前記保持部の前後端側が前記物品に近づいて、前記物品の前後方向及び左右方向への移動を規制することを特徴とする保持材。
【請求項２】
前記保持材は、前記支持部同士を連結し、前記保持部と対向する第一連結部を有し、当該第一連結部と、前記保持部と、前記支持部とで角筒形状を形成することを特徴とする、請求項１に記載する保持材。
【請求項３】
前記物品を保持した状態において、前記保持部と、前記第一連結部とが非接触であることを特徴とする、請求項２に記載する保持材。
【請求項４】
前記物品を載置し、前記第一連結部同士を繋ぐ第二連結部を有することを特徴とする、請求項２又は請求項３に記載する保持材。
【請求項５】
前記保持部の下端部の一部又は全部を、前記第二連結部とは非接触に形成することを特徴とする、請求項４に記載する保持材。
【請求項６】
前記第一連結部の前端側又は／及び後端側に第三連結部を有し、前記第二連結部の前端側又は／及び後端側に前記第三連結部と連結する第四連結部を有することを特徴とする、請求項４又は請求項５に記載する保持材。
【請求項７】
前記保持材を外箱に収容して前記物品を保持することを特徴とする、請求項１から請求項６のいずれか一項に記載する保持材。
【請求項８】
前記物品を保持した状態において、前記保持部と、前記支持部側の前記外箱の内面とが非接触であることを特徴とする、請求項７に記載する保持材。
【請求項９】
前記保持材の一部又は全部が、前記外箱の上下幅と略同一の上下幅であることを特徴とする、請求項７又は請求項８に記載する保持材。
【請求項１０】
前記物品は帯状部材で囲まれたケーキであることを特徴とする、請求項１から請求項９のいずれか一項に記載する保持材。
【請求項１１】
前記物品はトレーに載置されたものであって、前記第二連結部の前端側又は／及び後端側に、前記トレーの移動を規制する規制部を有することを特徴とする、請求項４から請求項１０のいずれか一項に記載する保持材。
【考案の詳細な説明】
【技術分野】
【０００１】  本考案は、物品への振動や衝撃を緩和し、物品の移動を規制して破損を防止する保持材に関する。
【背景技術】
【０００２】  従来から、例えばケーキ等のように型崩れを起こしやすいものの運送に使用する包装用容器では、様々な提案がなされている。例えば、デコレーションケーキを包被、固定して振動、衝撃から商品を保護するための包装体の提案においては、浅いトレー状の身箱と、被せ蓋とで外箱を構成し、被せ蓋の内面に内接する支持板を組み合わせるとともに、この支持板の中央部に円形の切欠孔を形成し、この切欠孔の内側にはデコレーションケーキを包囲する円筒形の周面保護部材を密接に嵌め込んで、商品を保護している（特許文献１参照。）。
【先行技術文献】
【特許文献】
【特許文献１】特開第２００１−３２２６２９号公報
【０００３】  しかしながら、特許文献１に記載する包装箱では、支持板に形成した切欠孔を円筒形の周面保護部材に密接に嵌め込んで商品を保護するため、円筒のサイズと切欠孔のサイズとが密接となるように形成しなければならず、デコレーションケーキのサイズや形状が複数ある場合には、サイズや形状に対応した形態の切欠孔を有する支持板がそれぞれ必要となり、作成の手間が煩雑でコストも高額となる。また、それぞれの支持板を周面保護部材に密接に嵌め込む手間も煩雑である。
【考案の概要】
【考案が解決しようとする課題】
【０００４】  本考案は、上記問題を解決すべくなされたものである。本考案の目的は、収容する物品のサイズや形状に柔軟に対応することができ、作成や設置が容易で、物品への振動や衝撃を緩和し、物品の移動を規制して破損を防止する保持材の提供である。
【課題を解決するための手段】
【０００５】  本考案の解決しようとする課題は以上の如くであり、次にこの課題を解決するための手段を説明する。【０００６】  第１の考案では、可撓性のある板状部材で、保持部と、当該保持部の前後端に支持部を形成し、２つの前記保持部を対向させ、前記保持部間で物品を押圧して保持し、前記支持部を前記物品とは反対側へ延在させてなる保持材であって、前記物品を保持した状態において、前記保持部が、前記支持部が延在する側へ凸形状になるとともに、前記保持部の前後端側が物品に近づいて、前記物品の前後方向及び左右方向への移動を規制することを特徴とする保持材である。【０００７】  第２の考案では、第１の考案であって、前記保持材は、前記支持部同士を連結し、前記保持部と対向する第一連結部を有し、当該第一連結部と、前記保持部と、前記支持部とで角筒形状を形成することを特徴とする保持材である。【０００８】  第３の考案では、第２の考案であって、前記物品を保持した状態において、前記保持部と、前記第一連結部とが非接触であることを特徴とする保持材である。【０００９】  第４の考案では、第２又は第３の考案であって、前記物品を載置し、前記第一連結部同士を繋ぐ第二連結部を有することを特徴とする保持材である。【００１０】  第５の考案では、第４の考案であって、前記保持部の下端部の一部又は全部を、前記第二連結部とは非接触に形成することを特徴とする保持材である。【００１１】  第６の考案では、第４又は第５の考案であって、前記第一連結部の前端側又は／及び後端側に第三連結部を有し、前記第二連結部の前端側又は／及び後端側に前記第三連結部と連結する第四連結部を有することを特徴とする保持材である。【００１２】  第７の考案では、第１から第６のいずれかの考案であって、前記保持材を外箱に収容して前記物品を保持することを特徴とする保持材である。【００１３】  第８の考案では、第７の考案であって、前記物品を保持した状態において、前記保持部と、前記支持部側の前記外箱の内面とが非接触であることを特徴とする保持材である。【００１４】  第９の考案では、第７又は第８の考案であって、前記保持材の一部又は全部が、前記外箱の上下幅と略同一の上下幅であることを特徴とする保持材である。【００１５】  第１０の考案では、第１から第９のいずれかの考案であって、前記物品は帯状部材で囲まれたケーキであることを特徴とする保持材である。【００１６】  第１１の考案では、第４から第１０のいずれかの考案であって、前記物品はトレーに載置されたものであって、前記第二連結部の前端側又は／及び後端側に、前記トレーの移動を規制する規制部を有することを特徴とする保持材である。
【考案の効果】
【００１７】  本考案の効果として、以下に示すような効果を奏する。【００１８】  第１の考案によれば、２つの保持部を対向させ、支持部を物品とは反対側へ延在させるだけで作成、設置することができる。また、物品を保持した状態において、保持部が、支持部が延在する側へ凸形状になるとともに、保持部の前後端側が物品に近づいて、物品の前後方向及び左右方向への移動を規制するため、物品への振動や衝撃を緩和し、物品の移動を規制して破損を防止することができる。さらに、保持材は可撓性のある板状部材で作成するため、保持部は収容する物品のサイズや形状に対応して支持部が延在する側へ凸形状になり、収容する物品のサイズや形状に柔軟に対応することができる。【００１９】  第２の考案によれば、第１の考案の効果に加え、保持材は、支持部同士を連結し、保持部と対向する第一連結部とを有し、第一連結部と、保持部と、支持部とで角筒形状を形成するため、支持部を物品とは反対側へ延在させた状態を保持しやすい。【００２０】  第３の考案によれば、第２の考案の効果に加え、物品を保持した状態において保持部と第一連結部とが非接触であるため、第一連結部との接触による物品の破損を防止することができる。【００２１】  第４の考案によれば、第２、第３の考案の効果に加え、物品を載置し、第一連結部同士を繋ぐ第二連結部を有するため、２つの対向する保持部間の距離を保って物品を安定して保持することができる。【００２２】  第５の考案によれば、第４の考案の効果に加え、保持部の下端部の一部又は全部を第二連結部とは非接触に形成しており、第二連結部に物品を載置して保持部を対向させる際に、物品と保持部の下端部との接触を阻止又は軽減することができる。【００２３】  第６の考案によれば、第４、第５の考案の効果に加え、第一連結部の前端側又は／及び後端側に第三連結部を有し、第二連結部の前端側又は／及び後端側に前記第三連結部と連結する第四連結部を有するため、２つの対向する保持部間の距離を保って物品を安定して保持することができる。【００２４】  第７の考案によれば、第１から第６の考案の効果に加え、保持材を外箱に収容して物品を保持するため、より一層、物品への振動や衝撃を緩和し、物品の移動を規制して破損を防止することができる。【００２５】  第８の考案によれば、第７の考案の効果に加え、物品を保持した状態において、保持部と、支持部側の外箱の内面とが非接触であるため、支持部側の外箱の内面との接触による物品の破損を防止することができる。【００２６】  第９の考案によれば、第７、第８の考案の効果に加え、保持材の一部又は全部が外箱の上下幅と略同一の上下幅であるため、外箱の積み重ね等による圧に対する強度が向上し、外箱の潰れ等の破損を防止することができる。【００２７】  第１０の考案によれば、第１から第９の考案の効果に加え、保持材に保持される物品は帯状部材で囲まれたケーキであり、型崩れの防止が重要課題で、サイズや形状の種類が豊富であるケーキの持ち運びや運送において、特に有用である。【００２８】  第１１の考案によれば、第４から第１０の考案の効果に加え、物品はトレーに載置されたものであって、第二連結部の前端側又は／及び後端側に、トレーの移動を規制する規制部を有するため、トレー自体の移動をも規制して破損を防止することができる。
【図面の簡単な説明】
【００２９】
【図１】本実施形態の保持材１の展開形成体１１の平面図。
【図２】保持材１の半完成状態を示す平面図。
【図３】保持材１の組み立て途中を示す斜視簡略図。
【図４】保持材１でデコレーションケーキＡを保持した状態を示す斜視簡略図。
【図５】保持材１でデコレーションケーキＡを保持した状態を示す平面簡略図。
【図６】保持材１でデコレーションケーキＢを保持した状態を示す平面簡略図。
【図７】保持材１でデコレーションケーキＣを保持した状態を示す平面簡略図。
【考案を実施するための形態】
【００３０】  次に、本考案の実施形態である保持材１について説明する。
【００３１】  図１は保持材１の展開形成体１１の平面図であり、図４は、保持材１で円筒形状のデコレーションケーキＡを保持した状態の斜視簡略図である。
保持材１は図１に示す展開形成体１１を組み立てて形成するものであり、外箱３００に収容され、持ち帰りや運送に用いられる。本実施形態の保持材１は、坪量３５０ｇ／ｍ２の板紙で形成している。なお、板紙の他、段ボールや樹脂素材を用いた可撓性のある板状部材で形成してもよい。
【００３２】  保持材１は、デコレーションケーキＡを最大収容寸法として、デコレーションケーキＢ、デコレーションケーキＣ程度の寸法・形状のものまで保持して、振動や衝撃を緩和し、前後方向及び左右方向への移動を効果的に規制することが可能な寸法に設定している。
デコレーションケーキＡは、トレー２００の略中心に載置され、板紙で形成された帯状部材１００で周囲を円筒形状に囲んで包装されたもので、円筒の直径は約１７０ｍｍである。
デコレーションケーキＢは、トレー２００の略中心に載置され、板紙で形成された帯状部材１００で周囲を円筒形状に囲んで包装されたもので、円筒の直径は約１７０ｍｍである。
デコレーションケーキＣは、トレー２００の略中心に載置され、板紙で形成された帯状部材１００で四角筒状に囲んで包装されたもので、四角筒の一辺が１２０ｍｍである。
保持材１に保持される物品は、物品そのものに限らず、包装された状態の物品をも含むものであり、本実施形態においてデコレーションケーキＡ、Ｂ、Ｃとは、このように包装された状態を指している。
【００３３】  保持材１は、図１、図３に示すように、保持部２１、支持部２２・２３、第一連結部３１によって角筒形状が左右に形成され、第一連結部３１が第二連結部４１によって連結されている。
保持材１は、図２に示すように平坦に折り畳まれた半完成状態で店舗等に納品され、デコレーションケーキＡ、Ｂ、Ｃを収容する前に最終の組み立てが行われる。
【００３４】  以下では、説明の容易のため、組み立て完成状態の保持材１の２つの対向する保持部２１が形成されている側を左右方向とする。また、上下方向は、保持材１を組み立てて、第二連結部４１を下にして載置した状態で、第二連結部４１側を下方とする。また、支持部２２を有する側を後方向とし、支持部２３を有する側を前方向とする。
【００３５】  図１に示す展開形成体１１に従って保持材１を構成する部分を説明する。図１は、保持材１の内側となる面を紙面手前側として示している。また、破線は折線を示している。
【００３６】  展開形成体１１の第二連結部４１の左右側には、保持部２１、支持部２２・２３、糊代部２４、第一連結部３１、第三連結部５１を対称形に有している。
保持部２１の上下幅（組み立て完成状態における前後幅）や支持部２２・２３の上下幅（組み立て完成状態における左右幅）、第二連結部４１の上下幅（組み立て完成状態における前後幅）及び左右幅（組み立て完成状態における左右幅）は保持部２１に保持される物品の寸法との関係により適宜設定するものである。
【００３７】  保持部２１は、組み立て完成状態において、デコレーションケーキＡ、Ｂ、Ｃを保持する部分を構成する。保持部２１がデコレーションケーキＡ、Ｂ、Ｃを保持した状態において、保持部２１を支持部２２・２３の延在する側へ凸形状とし、前後端側をデコレーションケーキＡ、Ｂ、Ｃに近づけるためには、保持部２１の上下幅（組み立て完成状態における前後幅）を、デコレーションケーキＡ、Ｂ、Ｃの前後幅よりも広く設定することが必要である。本実施形態では、保持部２１の上下幅（組み立て完成状態における前後幅）を１８５ｍｍとしている。
また、保持部２１の中央側の端部（組み立て完成状態における下端部）を湾曲形状に切り欠いて、切欠部２１ａを形成している。なお、本実施形態においては湾曲形状の切り欠きであるが、収容する物品の形状やサイズを考慮して適宜切り欠きの大きさや形状を変更して、下端部の一部又は全部を第二連結部４１と非接触となるように形成することができる。
【００３８】  保持部２１の上下端（組み立て完成状態における前後端）には、折線を介して保持部２１を支持する支持部２２・２３を連設している。
保持部２１を支持部２２・２３の延在する側へ凸形状とし、前後端側をデコレーションケーキＡ、Ｂ、Ｃに近づけるためには、左右の保持部２１を対向させた状態における保持部２１間を、デコレーションケーキＡ、Ｂ、Ｃの左右幅よりも狭く設定することが必要である。
本実施形態では、支持部２２・２３の上下幅（組み立て完成状態における左右幅）は５５ｍｍとし、左右の保持部２１を対向させた状態において、左右の保持部２１間は７７ｍｍとなるように設定している。
支持部２３の上端には、折線を介して糊代部２４を連設している。
支持部２２の下端には、折線を介して第一連結部３１を連設している。第一連結部３１は、支持部２２・２３を連結する部材である。第一連結部３１の上下幅（組み立て完成状態における前後幅）は、１８５ｍｍとしている。
第一連結部３１の左右幅（組み立て完成状態における上下幅）は、外箱３００の上下幅と略同一幅である１１０ｍｍに設定している。
第一連結部３１の下端には、折線を介して第三連結部５１を連設している。第三連結部５１の下端には、差込片５２を形成している。差込片５２は、後述する第四連結部（規制部）６１のスリット６２に差し込まれ、第三連結部５１と第四連結部６１とを連結する部分である。
【００３９】  第一連結部３１の中央側の端縁には、折線を介して第二連結部４１を連設している。第二連結部４１は、第一連結部３１同士を連結し、また、デコレーションケーキＡ、Ｂ、Ｃを載置する部分である。第二連結部４１の上下幅（組み立て完成状態における前後幅）及び左右幅（組み立て完成状態における左右幅）は１８７ｍｍに設定している。
【００４０】  また、第二連結部４１の下側の端縁には、第四連結部（規制部）６１を連設している。第四連結部（規制部）６１には、左右側にスリット６２を形成しており、差込片５２と係合して第三連結部５１と、第四連結部（規制部）６１とが連結する。また、トレー２００の移動を規制する部材である。
第四連結部（規制部）６１の第二連結部４１との間の折線付近中央には、トレー２００の取手２０１を貫通させる保持孔８１を形成している。
また、第二連結部４１の上側の端縁には、折線を介して規制部７１を連設している。規制部７１は、トレー２００の移動を規制する部分である。規制部７１の第二連結部４１との間の折線付近中央には、後述するトレー２００の取手２０１を貫通させる保持孔８１を形成している。
【００４１】  次に、保持材１を図２に示す半完成状態まで組み立てる場合について説明する。
まず、保持部２１と支持部２３との間の折線を谷折りして保持部２１に対して折り返し、支持部２３及び糊代部２４を保持部２１に重ねる。このとき、糊代部２４の表面に接着剤を塗布する。
さらに、第一連結部３１と支持部２２との間の折線を谷折りして第一連結部３１に対して折り返し、支持部２２、保持部２１を第一連結部３１に重ねるとともに、糊代部２４を第一連結部３１の下端に貼着して固定する。なお、本実施形態では、接着剤を用いて固定しているが、固定方法はこれに限定されず、テープでの固定や、差込片とスリットを形成して係合固定する方法を採用してもよい。
これにより、平坦な半完成状態となる。
本実施の形態に係る保持材１の半完成状態までの組み立てでは、折目は全て谷折であり、固定する部分は、糊代部２４と第一連結部３１間のみであるから、貼り作業を貼り機によって容易に自動化することができ、製造コストを安価とすることができる。また、半完成状態では、保持材１は平坦に折り畳まれて厚さが薄く、コンパクトであるため、運搬や保管が容易となる。
【００４２】  次に、折り畳まれた半完成状態の保持材１を完成状態まで組み立てる場合、及びデコレーションケーキの収容保持について説明する。
図３は、保持材１を組み立てる途中の状態を示す斜視簡略図である。まず、まだ谷折されておらず平坦状態である保持部２１と支持部２２との間の折線と、支持部２３と糊代部２４との間の折線を谷折して、第一連結部３１に対して、支持部２２・２３を起立させ、保持部２１、支持部２２・２３、第一連結部３１によって角筒形状とする。
【００４３】  そして、第二連結部４１の略中心にデコレーションケーキを収容する。
そして、第二連結部４１の左右端の折線を折り曲げて第一連結部３１を第二連結部４１に対して起立させる。このとき、保持部２１も同時に立ち上がってデコレーションケーキに近づくが、保持部２１の下端部が湾曲形状に切り欠かれているため、起立途中に保持部２１の下端部が帯状部材１００を滑動する際の押圧が軽減されている。
また、状態において、支持部２２・２３は、デコレーションケーキを保持する側とは反対側に延在している。
【００４４】  その後、第二連結部４１の前後端の折線を折り曲げて、第四連結部（規制部）６１、規制部７１を第二連結部４１に対して起立させ、トレー２００の取手２０１を保持孔８１に貫通させる。これにより、トレー２００の前後方向への移動が規制される。
そして、第一連結部３１の前端の折線を折り曲げて、第三連結部５１の差込片５２をスリット６２に差し込んで係合させ、第三連結部５１と第四連結部（規制部）６１とを連結し、保持部２１、支持部２２・２３、第一連結部３１で形成された角筒形状と第四連結部６１の起立状態を保持すれば、図４に示す組み立て完成状態となる。この状態において、第一連結部３１の上下幅は、外箱３００の上下幅と略同一幅の１１０ｍｍである。
【００４５】  まず、デコレーションケーキＡを保持する場合について説明する。
図４、図５に示すように、デコレーションケーキＡを保持した状態において、保持部２１はデコレーションケーキＡを押圧して保持しており、円筒形状に沿って撓んで支持部２２・２３が延在する側（左右側）へ最大幅約４７ｍｍ程度凸形状となっている。また同時に、保持部２１の前後端縁側はデコレーションケーキＡに近づいている。デコレーションケーキＡを保持していない状態の前後端縁の位置と、保持した状態の前後端縁の位置との距離Ｌ１は約１９ｍｍ程度であり、この距離程度デコレーションケーキＡに近づき、保持部２１はほぼ前後幅全体に渡りデコレーションケーキＡに接触している。図５における一点鎖線は、デコレーションケーキＡを保持していない状態の保持部２１、支持部２２・２３を示している。
また、保持部２１と、第一連結部３１との間には最小幅約８ｍｍ程度の空間があり、保持部２１及びデコレーションケーキＡと第一連結部３１とは非接触となっている。
このように、保持部２１の押圧保持により、デコレーションケーキＡの左右方向及び前後方向への移動が規制される。
なお、上述の数値はデコレーションケーキＡを連結部４１の略中心に収容した場合のおよその数値であり、デコレーションケーキＡの収容位置によって値は異なってくる。
【００４６】  次に、デコレーションケーキＢを保持する場合について説明する。
図６に示すように、デコレーションケーキＡを保持した状態において、保持部２１は、デコレーションケーキＡを保持したときと同様に、デコレーションケーキＢを押圧して保持しており、円筒形状に沿って撓み、支持部２２・２３が延在する側（左右側）へ最大幅約３２ｍｍ程度凸形状となっている。また同時に、保持部２１の前後端縁側はデコレーションケーキＢに近づいている。デコレーションケーキＢを保持していない状態の前後端縁の位置と、保持した状態の前後端縁の位置との距離Ｌ２は約８ｍｍ程度であり、保持部２１の前後端縁は、この距離程度デコレーションケーキＢに近づいている。図６における一点鎖線は、デコレーションケーキＢを保持していない状態の保持部２１、支持部２２・２３を示している。
保持部２１の前後端はデコレーションケーキＢとは非接触であるが、デコレーションケーキＢに近づいて前後方向への移動をも規制している。
また、保持部２１と、第一連結部３１との間には最小幅約２３ｍｍ程度の空間があり、保持部２１及びデコレーションケーキＢと第一連結部３１とは非接触となっている。
なお、上述の数値はデコレーションケーキＢを連結部４１の略中心に収容した場合のおよその数値であり、デコレーションケーキＢの収容位置によって値は異なってくる。
【００４７】  次に、デコレーションケーキＣを保持する場合について説明する。
図７に示すように、デコレーションケーキＣを保持した状態において、保持部２１は、デコレーションケーキＣの角部を押圧して保持しており、保持部２１はデコレーションケーキＣの角部に押圧されて３辺の略楕円を有する形状に撓み、支持部２２・２３が延在する側（左右側）へ最大幅約３７ｍｍ程度凸形状となっている。また同時に、保持部２１の前側の端縁及び後側の端縁はデコレーションケーキＣに近づいている。デコレーションケーキＣを保持していない状態の前後端縁の位置と保持した状態の前後端縁の位置の距離をＬ３は、約１１ｍｍ程度であり、保持部２１の前後端縁は、この距離程度デコレーションケーキＣに近づいている。図７における一点鎖線は、デコレーションケーキＣを保持していない状態の保持部２１、支持部２２・２３を示している。保持部２１はデコレーションケーキＣの角部に押圧され、前後端側はデコレーションケーキＣとは非接触であるが、デコレーションケーキＣに近づいて、前後方向への移動をも規制している。
また、保持部２１と、第一連結部３１との間には最小約１８ｍｍ程度の空間があり、保持部２１及びデコレーションケーキＣと第一連結部３１とは非接触となっている。
なお、上述の数値はデコレーションケーキＣを連結部４１の略中心に収容した場合のおよその数値であり、デコレーションケーキＣの収容位置によって値は異なってくる。
【００４８】  このように、デコレーションケーキＡ、Ｂ，Ｃは保持材１に保持されて外箱３００に収容され、持ち運び、運送等される。
【００４９】  保持材１は、保持部２１がデコレーションケーキＡ、Ｂ、Ｃに対応して支持部２２・２３が延在する側へ凸形状になり、前後端縁側はデコレーションケーキＡ、Ｂ、Ｃに近づくものであり、デコレーションケーキのサイズや形状に柔軟に対応するものとなっている。
【００５０】  このように、本実施形態の保持材１は、可撓性のある板状部材である板紙で、保持部２１と、保持部２１の前後端に支持部２２・２３を形成し、２つの保持部２１を対向させ、保持部２１間でデコレーションケーキＡ、Ｂ、Ｃを押圧して保持し、支持部２２・２３をデコレーションケーキＡ、Ｂ、Ｃとは反対側へ延在させてなる保持材１であって、デコレーションケーキＡ、Ｂ、Ｃを保持した状態において、保持部２１が、支持部２２・２３が延在する側へ凸形状になるとともに、保持部２１の前後端側がデコレーションケーキＡ、Ｂ、Ｃに近づいて、デコレーションケーキＡ、Ｂ、Ｃの前後方向及び左右方向への移動を規制する。
【００５１】  このため、２つの保持部２１を対向させ、支持部２２・２３をデコレーションケーキＡ、Ｂ、Ｃとは反対側へ延在させ、保持部２１間でデコレーションケーキＡ、Ｂ、Ｃを押圧して保持することができる。
また、デコレーションケーキＡ、Ｂ、Ｃを保持した状態において、保持部２１が、支持部２２・２３が延在する側へ凸形状になるとともに、保持部２１の前後端側がデコレーションケーキＡ、Ｂ、Ｃに近づいて、デコレーションケーキＡ、Ｂ、Ｃの前後方向及び左右方向への移動を規制し、デコレーションケーキＡ、Ｂ、Ｃへの振動や衝撃を緩和して、破損を防止することができる。
さらに、保持材１は可撓性のある板状部材である板紙で作成するため、保持部２１はサイズや形状の異なるデコレーションケーキＡ、Ｂ、Ｃに対応して支持部２２・２３が延在する側（左右側）へ凸形状になり、保持する物品のサイズや形状に柔軟に対応することができる。
【００５２】  また、保持材１は、支持部２２・２３を連結し、保持部２１と対向する第一連結部３１を有し、第一連結部３１と、保持部２１と、支持部２２・２３とで角筒形状を形成する。
【００５３】  このため、保持材１は、支持部２２・２３をデコレーションケーキＡ、Ｂ、Ｃとは反対側（左右側）へ延在させた状態を保持しやすい。
【００５４】  また、デコレーションケーキＡ、Ｂ、Ｃを挟持した状態において、保持部２１と、第一連結部３１とが非接触である。
【００５５】  このため、第一連結部３１との接触によるデコレーションケーキＡ、Ｂ、Ｃの破損を防止することができる。
【００５６】  また、デコレーションケーキＡ、Ｂ、Ｃを載置し、第一連結部３１同士を繋ぐ第二連結部４１を有する。
【００５７】  このため、２つの対向する保持部２１間の距離を保ってデコレーションケーキＡ、Ｂ、Ｃを安定して保持することができる。
【００５８】  また、保持部２１の下端部の一部又は全部を、第二連結部４１とは非接触に形成する。
【００５９】  このため、第二連結部４１にデコレーションケーキＡ、Ｂ、Ｃを載置して保持部２１を対向させる際に、デコレーションケーキＡ、Ｂ、Ｃと保持部２１の下端縁との接触を軽減することができる。
【００６０】  また、第一連結部３１の前端側に第三連結部５１を有し、第二連結部４１の前端側に第三連結部と連結する第四連結部（規制部）６１を有する。
【００６１】  このため、２つの対向する保持部２１間の距離を保ってデコレーションケーキＡ、Ｂ、Ｃを安定して挟持することができる。
【００６２】  また、保持材１を外箱３００に収容してデコレーションケーキＡ、Ｂ、Ｃを保持する。
【００６３】  このため、より一層、デコレーションケーキＡ、Ｂ、Ｃへの振動や衝撃を緩和し、移動を規制して破損を防止することができる。
【００６４】  また、デコレーションケーキＡ、Ｂ、Ｃを保持した状態において、保持部２１と、支持部２２・２３側（左右側）の外箱３００の内面とが非接触である。
【００６５】  このため、支持部２２・２３側の外箱３００の内面との接触によるデコレーションケーキＡ、Ｂ、Ｃの破損を防止することができる。
【００６６】  また、第一連結部３１の上下幅が、外箱３００の上下幅と略同一の上下幅である。
【００６７】  このため、外箱３００の積み重ね等による圧に対する強度が向上し、外箱の潰れ等の破損を防止することができる。
【００６８】  また、デコレーションケーキＡ、Ｂ、Ｃは帯状部材で囲まれたケーキである。
【００６９】  このため、型崩れの防止が重要課題で、サイズや形状の種類が豊富であるケーキの持ち運びや運送において、特に有用である。
【００７０】  また、デコレーションケーキＡ、Ｂ、Ｃはトレー２００に載置されたものであって、第二連結部４１の後側に、トレー２００の移動を規制する規制部７１を設け、第二連結部４１の前側に、トレー２００の移動を規制する第四連結部（規制部）６１を有する。
【００７１】  このため、トレー２００自体の移動をも規制してデコレーションケーキＡ、Ｂ、Ｃの破損を防止することができる。
【００７２】  本考案は、本実施形態に限定されるものではなく、収容する物品のサイズや形状によって適宜設計変更可能である。また、保持部２１に、上下方向に延びる罫線を複数設けて凸形状を形成しやすくすることも可能である。
【符号の説明】
【００７３】１      保持材
１１    展開形成体
２１    保持部
２１ａ  切欠部
２２    支持部
２３    支持部
２４    糊代部
３１    第一連結部
４１    第二連結部
５１    第三連結部
５２    差込片
６１    第四連結部（規制部）
６２    スリット
７１    規制部
８１    保持孔
１００  帯状部材
２００  トレー
２０１  取手
３００  外箱
【図１】
0003229897.tif 000003
【図２】
0003229897.tif 000004
【図３】
0003229897.tif 000005
【図４】
0003229897.tif 000006
【図５】
0003229897.tif 000007
【図６】
0003229897.tif 000008
【図７】
0003229897.tif 000009